(57)【要約】【課題】簡便な構成で、頭部を凭せかけたときのクッション性と頭部をしっかりと支える保形性との両立を図る。【解決手段】椅子のヘッドレストＨを、保形性を有し湾曲面形状をなす心材を要素として着座者の頭部を支える頭部支持部５を構成するものとし、その心材５の所要部位に欠損部５１を形成して可撓性、可変形性を補うようにした。【選択図】図７
2007229059.tif 000002
【特許請求の範囲】
【請求項１】
保形性を有し湾曲面形状をなす心材を要素として着座者の頭部を支える頭部支持部を構成しているものであって、
心材の所要部位に欠損部を形成して可撓性を補っていることを特徴とする椅子のヘッドレスト。
【請求項２】
欠損部として、幅方向に延伸する複数本のスリットまたは有底溝を形成している請求項１記載の椅子のヘッドレスト。
【請求項３】
上下方向に延伸しスリットまたは有底溝と交差する縦桟部を設けている請求項２記載のヘッドレスト。
【請求項４】
さらに、前記縦桟部内に欠損部を形成し、または前記縦桟部を欠損部を形成することで、縦桟部における剛性の大きさを調整している請求項３記載のヘッドレスト。
【請求項５】
前記心材の中間部に欠損部を形成することにより中間部に可撓性をもたせながら左右両側端部の剛性を相対的に高めており、
その左右両側端部を椅子本体に支持させるようにしている請求項１、２、３または４記載の椅子のヘッドレスト。
【請求項６】
心材が樹脂材料を用いた一体成形品である請求項１、２、３、４または５記載の椅子のヘッドレスト。
【請求項７】
心材に張地を被せてこれを被覆している請求項１、２、３、４、５または６記載の椅子のヘッドレスト。
【発明の詳細な説明】
【技術分野】
【０００１】
本発明は、椅子のヘッドレストに関する。
【背景技術】
【０００２】
オフィス等で使用される執務用椅子には、着座者の頭部を支えるヘッドレストが付随していることが少なくない。この種の椅子のヘッドレストは、背凭れの上端部に固定されていることが通例である（例えば、下記特許文献を参照）。
【特許文献１】特開２００２−１１９３７１号公報
【発明の開示】
【発明が解決しようとする課題】
【０００３】
一般的に、椅子のヘッドレストは、使用感や外観デザイン等の観点から湾曲形状に形作られている。従来のヘッドレストは、湾曲形状に成形したシェルの前面にウレタンクッション等を貼付した上でこれを表皮で被覆したり、または、幅方向に離間させて配置した弓形をなすフレーム材に伸縮性に富むネットを張り設けたりして構成される。しかしながら、前者のものはコストが嵩むきらいがあり、後者のものは着座者が頭部を凭せかけたときにネットが必要以上に伸長して頭部がしっかりと支えられない不安定さを感じさせることがあった。
【０００４】
以上に鑑みてなされた本発明は、簡便な構成で、頭部を凭せかけたときのクッション性と頭部をしっかりと支える保形性との両立を図ることを所期の目的とする。
【課題を解決するための手段】
【０００５】
上述した課題を解決するべく、本発明では、保形性を有し湾曲面形状をなす心材を要素として着座者の頭部を支える頭部支持部を構成し、かつ心材の所要部位に欠損部を形成して可撓性を補った椅子のヘッドレストを構成した。湾曲面形状をなす心材は、その形状のために剛性が高まり着座者に硬質感を与えるおそれがあるが、欠損部を形成することで可変形性を高め、ひいては頭部を凭せかけたときのクッション性を付与するものとしている。ここで、保形性とは、外力が作用していない状態で一定の湾曲面形状を維持することをいう。また、欠損部とは、スリット、切欠、貫通孔や肉盗み（貫通していない凹部。対象部分を薄肉化する）等を総称した概念である。
【０００６】
より具体的には、欠損部として、幅方向に延伸する複数本のスリットまたは有底溝を形成する。このようなものであれば、着座者が頭部を凭せかけたときの感触を良化できる。
【０００７】
一方で、心材には上方より張地等の表皮を被せてこれを被覆することが通例である。この場合、心材には張地の張力が作用するため、単に上記のスリットまたは有底溝を形成しただけのものであると、例えば心材の上縁部が引きつり押し下げられて外形が崩れる可能性がある。上下方向に延伸しスリットまたは有底溝と交差する縦桟部を設けておけば、心材の外形が不用意に崩れてしまう不都合を回避できる。
【０００８】
通常、縦桟部は、心材の上縁と下縁とを連絡するように直線的に延びている。しかし、そのようなものであると、縦桟部の剛性が顕著に大きくなる。これに対し、前記縦桟部内に欠損部を形成し、または前記縦桟部を横切る欠損部を形成することによって、縦桟部における剛性の大きさを調整するようにしても構わない。
【０００９】
前記心材の中間部に欠損部を形成することにより中間部に可撓性をもたせながら左右両側端部の剛性を相対的に高めており、その左右両側端部を椅子本体に支持させるようにしているならば、必要十分な可撓性を担保しつつも、ヘッドレストの椅子本体に対する連結構造の強度を高めることができる。
【００１０】
本発明に係るヘッドレストの心材は、樹脂材料を用いた一体成形品とすることが好ましい。
【００１１】
その上で、心材に張地を被せてこれを被覆しておけば、家具としての美観・格調を高めることができる。
【発明の効果】
【００１２】
本発明によれば、簡便な構成で、頭部を凭せかけたときのクッション性と頭部をしっかりと支える保形性との両立を図り得る。
【発明を実施するための最良の形態】
【００１３】
以下、本発明の一実施形態を、図面を参照して説明する。本実施形態の椅子は、図１ないし図３に示すように、脚体４と、脚体４に支持させた基体２と、基体２上に配設した座３と、水平支軸１６を介して基体２に枢着した背凭れ１とを具備する椅子本体ＣにヘッドレストＨを取り付けたものであって、座３及び背凭れ１が連動して傾動するシンクロロッキング動作が可能である。
【００１４】
詳述すると、脚体４は、複数個のキャスターを装着している脚羽根４１と、脚羽根４１の中央より略垂直に立ち上がる脚支柱４２とを備えており、脚羽根４１と脚支柱４２との間に介設したガススプリング（図示せず）の伸縮により脚支柱４２を上下に突没させ得る。
【００１５】
基体２は脚支柱４２の上端に固定してあって、脚支柱４２の突没操作を通じて座３及び背凭れ１の高さ位置を調節することができる。基体２には、水平支軸１６回りに回動する背凭れ１を前方へ付勢する弾性付勢機構（図示せず）、背凭れ１のロッキング角度を固定する固定機構（図示せず）等を内蔵している。弾性付勢機構は、コイルスプリングやガススプリングを実装して背フレーム１１を弾性付勢するものである。
【００１６】
座３は、座受３１に座面を形成するクッション体３２を装着してなる。座３の前端部は、基体２に対し前後方向にスライド移動可能に支持させており、座３の後端部は、下記背フレーム１１における下フレーム部１３にヒンジ（図示せず）を介して取着している。
【００１７】
背凭れ１は、背フレーム１１の前面に背凭れ面Ｓを形成する張り部材１２を張り設けたものである。背フレーム１１は、基体２に対し水平支軸１６回りに回動可能に連結している下フレーム部１３と、下フレーム部１３の上端にヒンジ１７を介して連結している上フレーム部１４と、上フレーム部１４を後方より支持する反力フレーム部１５とを備えている。
【００１８】
下フレーム部１３は、幅方向に離間させて配置した左右の下フレーム要素１３１ａ、１３１ｂ同士を、剛性横架材１３２を以て相互に連結してなる。下フレーム要素１３１ａ、１３１ｂ、剛性横架材１３２はともに、例えば金属製の剛体である。下フレーム要素１３１ａ、１３１ｂは、側面視水平支軸１６の位置する前端から後方に延伸し、後端で上方に屈曲した略Ｌ字型をなす。
【００１９】
上フレーム部１４は、幅方向に離間させて配置した左右の上フレーム要素１４１ａ、１４１ｂ同士を、弾性横架材１４２を以て相互に連結してなる。上フレーム要素１４１ａ、１４１ｂは例えば金属製の剛体であるが、弾性横架材１４２は例えば樹脂製の弾性体である。上フレーム要素１４１ａ、１４１ｂは、側面視ヒンジ１７の位置する下端から、幾分後方に凹むように緩やかに湾曲しつつ上方に延伸し、その上端近傍で再度前方に膨出する弓形をなす。
【００２０】
反力フレーム部１５は、上フレーム要素１４１ａ、１４１ｂの各々を支持する同数の反力フレーム要素１５１ａ、１５１ｂよりなる。反力フレーム要素１５１ａ、１５１ｂの一端部は上フレーム要素１４１ａ、１４１ｂの背面に連接し、他端部は下フレーム要素１３１ａ、１３１ｂの下向面に連接する。反力フレーム要素１５１ａ、１５１ｂは、例えば弾性横架材１４２と同質の樹脂製の弾性体とする。反力フレーム要素１５１ａ、１５１ｂは、側面視下フレーム要素１３１ａ、１３１ｂ及び上フレーム要素１４１ａ、１４１ｂに沿うように延伸して略Ｌ字型をなす。
【００２１】
下フレーム要素１３１ａ、１３１ｂと上フレーム要素１４１ａ、１４１ｂとを互いに枢着するヒンジ１７の周辺、具体的には下フレーム要素１３１ａ、１３１ｂの後端から上端近傍にかけて及び上フレーム要素１４１ａ、１４１ｂの下端近傍の範囲では、側面視フレームの前面が前方に膨出するような湾曲形状をなしている。既に述べたように、上フレーム要素１４１ａ、１４１ｂの上端近傍においても、側面視フレームの前面が前方に膨出するような湾曲形状をなしている。しかして、上記の下フレーム要素１３１ａ、１３１ｂ及び上フレーム要素１４１ａ、１４１ｂの湾曲形状をなす部位に架け渡すように、張り部材１２を張り設けている。
【００２２】
張り部材１２は、伸縮性に富む張地１２１を主体とする。張地１２１は、例えば合成繊維のダブルラッセルメッシュにさらにエラストマ糸等の弾性糸を編み込んだもの（詳細には、それぞれ伸縮変形可能なメッシュ地の表布と裏布とをダブルラッセル編みで立体的に縫い合わせてなる）で、強度とクッション性とを両備している。
【００２３】
張地１２１の上辺及び左右の側辺は、バックアップ材１２２で保形している。図７に示すように、バックアップ材１２２は、左右両側に対をなす縦枠１２２ａ、１２２ｂと両縦枠１２２ａ、１２２ｂを連結する横枠１２２ｃとが正面視三方枠状または四方枠状をなし、前後方向に撓み変形可能な例えば樹脂製の薄板体で、特に張地１２１の左右の側辺が内側方に撓もうとすることを防ぎ、張地１２１を張った状態に保つ。図示例のバックアップ材１２２は、左右両側の縦枠１２２ａ、１２２ｂの上端部同士を横枠１２２ｃを介して相互に連結した正面視略三方枠状をなすものである。
【００２４】
バックアップ材１２２の上端部は、背フレーム１１の上端部に支持させる。本実施形態では、バックアップ材１２２の縦枠１２２ａ、１２２ｂの上端部に貫通孔１２２ｘを穿ち、その貫通孔１２２ｘにビスまたはピン等の止着具１９１を挿通して上フレーム要素１４１ａ、１４１ｂの上端部に止着している。一方で、バックアップ材１２２の下端部は、背フレーム１１の下端部に支持させる。本実施形態では、バックアップ材１２２の縦枠１２２ａ、１２２ｂの下端部及び中間よりやや下方の部位にそれぞれ上下方向に延伸する長孔１２２ｙを穿ち、それら長孔１２２ｙにビスまたはピン等の止着具１９２を挿通して各々を下フレーム要素１３１ａ、１３１ｂの下端部及び上端部に止着している。バックアップ材１２２の上端部は上フレーム要素１４１ａ、１４１ｂに対して固定されるが、下端部は下フレーム要素１３１ａ、１３１ｂに対して上下スライド可能となる。
【００２５】
背フレーム１１の上端部とヒンジ１７近傍との間は側面視後方に凹むように湾曲しており、縦枠１２２ａ、１２２ｂの中間部位が後方に撓み変形し得る余地を与えている。背フレーム１１の上辺をなす弾性横架材１４２もまた平面視後方に凹むように湾曲しており、横枠１２２ｃが後方に撓み変形し得る余地を与えている。
【００２６】
張り部材１２における、背凭れ面Ｓを形成する上部は左右の上フレーム要素１４１ａ、１４１ｂに装着して支持させ、下部は左右の下フレーム要素１３１ａ、１３１ｂに装着して支持させる。張地１２１を背フレーム１１に架設するに際しては、張地１２１の左右の側縁をバックアップ材１２２の縦枠１２２ａ、１２２ｂに装着する。具体的には、図７及び図９に示すように、バックアップ材１２２の周端面、即ち左右の縦枠１２２ａ、１２２ｂの外側端面にそれぞれ凹溝１２２ｚを形成し、凹溝１２２ｚに張地１２１の二方の縁端１２１ｘを嵌め入れて係止する。なお、張地１２１の縁端１２１ｘ、１２１ｓには、予め、長尺な薄板状をなす例えば樹脂製の縁端材を（縫合、接着、溶着等により）取り付けておく。さらに、張地１２１の下縁を下フレーム部１３の所定部位に固定する。図示例では、張地１２１の下縁にブラケット１２１ｙを取り付けておき、このブラケット１２１ｙを下フレーム部１３の剛性横架材１３２にボルト１９３等を用いて固定している。さらに、張地１２１の最上部位は、背フレーム１１の上縁よりも上方に延出している。この最上部位は、後述するように、ヘッドレストＨを被覆するものとなる。
【００２７】
総じて言えば、背フレーム１１の前面にバックアップ材１２２を、バックアップ材１２２の前面に張地１２１を配している。このとき、バックアップ材１２２は板ばねの作用を営み、張地１２１を前方に押圧して張り出させる。張地１２１の上端部及び下端部は、それぞれ背フレーム１１の上下端部に対して固定される。張地１２１の上端部はバックアップ材１２２を介して間接的に上フレーム要素１４１ａ、１４１ｂに固定され、張地１２１の下端部はバックアップ材１２２を介さず直接的に下フレーム要素１３１ａ、１３１ｂに固定されている。
【００２８】
本実施形態の椅子は、座３及び背凭れ１が連動して傾動するシンクロロッキング動作が可能である。図４に示すように、シンクロロッキング動作では、背フレーム１１全体が水平支軸１６回りに回動することで背凭れ１が前後に傾動する。同時に、座３の後端部が背フレーム１１に連動して上下に揺動し、かつ座３の前端部が前後にスライドする。
【００２９】
また、本実施形態の椅子は、着座者が着座したまま後ろを振り向いたり、手を伸ばしたり、身体をねじったりする動きに追随して、背凭れ面Ｓの上部の左半部のみ、または右半部のみを後方に変位させる動作が可能である。背凭れ面Ｓの上部を支持している上フレーム部１４は、左右に対をなす上フレーム要素１４１ａ、１４１ｂが互いに独立して前後動する。即ち、左側の上フレーム要素１４１ａは左側の下フレーム要素１３１ａにヒンジ１７を介して連結し、右側の上フレーム要素１４１ｂは右側の下フレーム要素１３１ｂにヒンジ１７を介して連結しており、これら上フレーム要素１４１ａ、１４１ｂが個別に回動し得る。
【００３０】
図５に示すように、上フレーム要素１４１ａ、１４１ｂをヒンジ１７回りに後傾させたとき、下フレーム要素１３１ａ、１３１ｂ及び上フレーム要素１４１ａ、１４１ｂの湾曲形状をなす部位に張り部材１２が接触する面積が徐々に増大するとともに、背フレーム１１の上端部と下端部との離間距離が拡大するために張地１２１が張力を増しつつ上下に伸長する。同時に、バックアップ材１２２の下端部が長孔１２２ｙの寸法範囲内で下フレーム要素１３１ａ、１３１ｂに対し上下方向に相対変位する。並びに、反力フレーム要素１５１ａ、１５１ｂがアングルを拡げるように変形して反力を蓄積し、上フレーム要素１４１ａ、１４１ｂを原位置に復帰させる方向、つまり前方に弾性付勢する。
【００３１】
そして、何れか一方の上フレーム要素１４１ａ（１４１ｂ）を他方の上フレーム要素１４１ｂ（１４１ａ）に対し相対的に前後方向に変位させれば、図６に示すように、背凭れ面Ｓの形状を三次元的に変化させることができる。但し、図６では、明確化のためにヘッドレストＨの図示を省略している。この動作において、下フレーム部１３は必ずしも駆動されない。左右に対をなす下フレーム要素１３１ａ、１３１ｂは剛性横架材１３２を介して剛体連結されているため、それら下フレーム要素１３１ａ、１３１ｂは常に一体的に運動する。故に、背凭れ面Ｓの下部、着座者の腰部より下方にあたる部分は、恒常的に一定の形状を維持する。
【００３２】
着座者の動きに伴い、上フレーム要素１４１ａ、１４１ｂの一方が他方に対し相対的に前後動すると、左右の上フレーム要素１４１ａ、１４１ｂ間の距離が増大する。その際、両上フレーム要素１４１ａ、１４１ｂの離間距離の増大に対応するべく、弾性横架材１４２が弾性変形する。本実施形態の弾性横架材１４２は、上フレーム要素１４１ａ、１４１ｂの上端部同士を相互に連結しており、平面視後方に凹む湾曲形状をなす状態で組み付けてある。弾性横架材１４２の前後の厚みは、上フレーム要素１４１ａ、１４１ｂに連結している両端部から幅方向の中央に向かうにつれて徐々に薄くなっており、両端部よりも中間部の方が比較的変形し易くなっている。これは、上フレーム要素１４１ａ、１４１ｂと弾性横架材１４２との連結箇所に負荷が集中することを避けるためである。
【００３３】
ここで、上フレーム要素１４１ａ、１４１ｂと弾性横架材１４２との連結態様に関して補足する。上フレーム要素１４１ａ、１４１ｂは、上端で互いに相寄る内側方に接合端部を突き出させており、それら接合端部に弾性横架材１４２の両端部を連接する。図９に示すように、上フレーム要素１４１ａ、１４１ｂの接合端部及び弾性横架材１４２の両端部の相互に向き合う端面の一方（図示例では、上フレーム要素１４１ａ、１４１ｂ側）には凸部１４１ｘを突設し、他方（図示例では、弾性横架材１４２側）には凹部１４２ｘを形成して、凸部１４１ｘを凹部１４２ｘに嵌め入れる嵌合構造を構築している。そして、嵌合の方向とは交差する方向からボルト１９４を螺入して凸部１４１ｘと凹部１４２ｘの周壁とを螺合緊締することで、上フレーム要素１４１ａ、１４１ｂの接合端部と弾性横架材１４２の端部とを結合する。図示例では、ボルト１９４を前方より螺入しており、このボルト１９４は背フレーム１１に張り設けられる張り部材１２によって略隠蔽される。
【００３４】
上フレーム要素１４１ａ、１４１ｂの一方が他方に対し相対的に前後動するとき、弾性横架材１４２は曲率を減少させるように変形して両端間の距離を伸張する。
【００３５】
加えて、背凭れ面Ｓが受けた着座者の荷重は、張り部材１２を介して上フレーム要素１４１ａ、１４１ｂに作用し、上フレーム要素１４１ａ、１４１ｂを内側方に倒れ込ませようとしてヒンジ１７に負荷をかける。このような負荷を打ち消し低減する目的で、弾性横架材１４２を、上フレーム要素１４１ａ、１４１ｂを幅方向に離反させるような初期弾性力を発揮する状態で組み付けている。
【００３６】
尤も、左右両側の上フレーム要素１４１ａ、１４１ｂをともに傾動させることもできる。その場合、例えば着座者の背を大きく反らせるようなストレッチが可能になる。
【００３７】
因みに、張地１２１の背後、着座者の腰部に対応する高さ位置に、ランバーサポート部材１８を架け渡しておくこともできる。着座者が背凭れ面Ｓに身体を凭せかけた場合にも、腰部近傍部位はランバーサポート部材１８に後方より支持され、ランバーサポート部材１８の全長に応じた深度以上には後方に沈み込まない。ランバーサポート部材１８の両端部は、適宜の支持構造（図示せず）を介してバックアップ材１２２の左右の縦枠１２２ａ、１２２ｂに取着して支持させる。但し、ランバーサポート部材１８の両端部を、左右の上フレーム要素１４１ａ、１４１ｂまたは下フレーム要素１３１ａ、１３１ｂに支持させることを妨げない。
【００３８】
以降、図７ないし図１０を参照しつつ、ヘッドレストＨに関して述べる。本実施形態の椅子のヘッドレストＨは、着座者の頭部を支える支持面を構成する変形可能な頭部支持部５と、頭部支持部５の左右両側に存在して頭部支持部５よりも剛性を有する支桿部６とを具備し、支桿部６を介して椅子本体Ｃに連結するとともに、頭部支持部５の変形を通じて一方の支桿部６を他方の支桿部６に対して相対的に変位させ得るように構成したものである。本実施形態では、椅子本体Ｃにおける左右の上フレーム要素１４１ａ、１４１ｂが互いに独立に前後動することから、ヘッドレストＨもまたこれら上フレーム要素１４１ａ、１４１ｂの動作に対応するべく可変形性を有している。
【００３９】
頭部支持部５は、例えば硬質樹脂製の心材を要素とする。この心材５は、保形性を有し側面視前方に膨出する湾曲面形状をなす薄板状の部材であり、所要部位に欠損部５１を形成して可撓性、可変形性を補っているものである。本実施形態では、心材５の中間部において幅方向に延伸する複数本の欠損部５１たるスリットを、上下方向の略全域に亘り分散させて穿設している。但し、心材５を貫通するスリット５１ではなく、心材５を貫通しない有底溝とすることを妨げない。スリット５１の外側端は、心材５の左右両側縁よりも内方で止まっていて、スリット５１が到達していない心材５の左右両側端部はある程度以上の剛性が担保される。左右両側端部の下端部の背面側には、前方に凹む凹陥５４を形成し、その底壁面に貫通孔５５を穿っている。
【００４０】
加えて、心材５には、スリット５１と交差する縦桟部５２を設けてある。縦桟部５２は、心材５の中心軸から左右に離間した複数箇所に配設している。縦桟部５２は、心材５の上縁と下縁とを連絡するように直線的に延びている。縦桟部５２の背面側には、補強のためのリブ（または、突条）５３を形成しているが、このようなリブ５３は必須ではない。縦桟部５２によって分割されたスリット５１は、側方に位置しているものが比較的短く、中央に位置しているものが比較的長くなる。換言すれば、心材５の側方では欠損部５１の量が比較的少なく、中央では比較的多くなっていると言える。これにより、中央部位の可撓性が相対的に高められている。
【００４１】
支桿部６は、頭部支持部５とは別体をなす例えば金属製の連結部材を主体とする。連結部材６は、板金材を側面視略く字型をなすように成形した剛体の部材であって、下部を椅子本体Ｃに結着し、上部を心材５に結着するものである。連結部材６の下部には挿通孔６１を穿ち、上部にはビス孔６２を形成している。
【００４２】
ヘッドレストＨの椅子本体Ｃへの取り付けについて説明する。本実施形態では、左右両側に一対の連結部材６を配し、一方を左方の上フレーム要素１４１ａに、他方を右方の上フレーム要素１４１ｂにそれぞれ連結した上で、これら連結部材６によって心材５を支持させる。連結部材６の下部を上フレーム要素１４１ａ、１４１ｂに結着するにあたっては、先に述べたバックアップ材１２２の縦枠１２２ａ、１２２ｂを上フレーム要素１４１ａ、１４１ｂに止着する止着具１９１を利用する。即ち、連結部材６の下部を上フレーム要素１４１ａ、１４１ｂと縦枠１２２ａ、１２２ｂとの間に配置し、縦枠１２２ａ、１２２ｂの貫通孔１２２ｘに挿通した止着具１９１をそのまま連結部材６の下部の挿通孔６１に挿通して、上フレーム要素１４１ａ、１４１ｂに形成しているナット孔１４１ｓに螺合緊締して止着する。また、連結部材６の上部を心材５に結着するにあたっては、連結部材６の上部を心材５の背面側に形成した凹陥５４内に配置し、凹陥５４の底壁面に穿っている貫通孔５５にビス等の止着具１９５を前方より挿通して、連結部材６の上部のビス孔６２に螺合緊締して止着する。
【００４３】
その上で、これら心材５及び連結部材６を、張地１２１によって被覆する。本実施形態では、張地１２１における、背フレーム１１の上縁よりも上方に延出した最上部位をヘッドレストＨの表皮として用いる。具体的には、張地１２１の最上部位を、ヘッドレストＨの心材５の上縁に相当する高さ位置で後方に山折りし、前後に重なり合う部分の左右両側縁を縫合または溶着して下方に開口する袋状とする。次いで、その袋状の内側にヘッドレストＨの心材５及び連結部材６を挿入した後、張地１２１を下方に張力をかけた状態で固定する。即ち、先に述べたブラケット１２１ｙを下フレーム１３の剛性横架材１３２に固定し、並びに張地１２１の左右の縁端１２１ｘを縦枠１２２ａ、１２２ｂの外側端面の凹溝１２２ｚに嵌め入れて係止させる。さらに、張地１２１の最上端１２１ｓ即ち袋状を形成するべく後方に折り曲げた部分の下端を、横枠１２２ｃの下端面に形成しておいた凹溝１２２ｓに嵌め入れて係止させる。しかる後、ヘッドレストＨと背凭れ１との境界線近傍において、張地１２１の前後に重なり合う部分を縫合または溶着して袋を閉止する。
【００４４】
本実施形態によれば、椅子のヘッドレストＨを、着座者の頭部を支える支持面を構成する変形可能な頭部支持部５と、頭部支持部５の左右両側に存在して頭部支持部５よりも剛性を有し椅子本体Ｃに連結して頭部支持部５を支持する支桿部６とを具備するものとし、頭部支持部５の変形を通じて一方の支桿部６を他方の支桿部６に対して相対的に変位させ得るようにしたため、椅子本体Ｃの変形動作に追随することが可能となる。
【００４５】
つまり、幅方向に離間させて配置した複数のフレーム要素１４１ａ、１４１ｂにより背凭れ面Ｓの上部を支持させた背凭れを具備し、その各フレーム要素１４１ａ、１４１ｂを互いに独立して前後動可能としている態様の椅子において、一方の支桿部６を一のフレーム要素１４１ａに、他方の支桿部６を他のフレーム要素１４１ｂにそれぞれ連結することで、当該ヘッドレストＨを椅子本体Ｃに連結している。また、これにより、ヘッドレストＨの幅寸法を大きくとることができ、使用感の向上及び高級感の醸成にも奏効する。
【００４６】
幅方向に拡張しつつ可撓性を有する薄板状の心材を要素として頭部支持部５を構成しているため、ヘッドレストＨの保形性に寄与し、かつ着座者の頭部をしっかりと支えることができるものとなる。
【００４７】
心材５の中間部に欠損部５１を形成することにより中間部に可撓性をもたせながら左右両側端部の剛性を相対的に高めつつ、その左右両側端部を椅子本体Ｃに支持させる、即ち心材５の左右両側端部に支桿部６たる連結部材の一端を取着するようにしているため、必要十分な可撓性を担保しながら、ヘッドレストＨの椅子本体Ｃに対する連結構造の強度を高めることができる。
【００４８】
頭部支持部５及び支桿部６を被覆する張地１２１が、椅子本体Ｃの背凭れにおいて背凭れ面Ｓを構成する張地１２１と共通化されているため、背凭れとヘッドレストＨとが一体的であるような外観を与え、家具としての美観・格調を高めることができる。
【００４９】
また、本実施形態によれば、保形性を有し湾曲面形状をなす心材を要素として着座者の頭部を支える頭部支持部５を構成し、かつ心材５の所要部位に欠損部５１を形成して可撓性、可変形性を補った椅子のヘッドレストＨを構成したため、頭部を凭せかけたときのクッション性が付与され、好適な使用感を提供できる。
【００５０】
欠損部５１として、幅方向に延伸する複数本のスリットまたは有底溝を形成しているため、着座者が頭部を凭せかけたときの感触を良化できる。
【００５１】
一方で、上下方向に延伸しスリット５１（または、有底溝）と交差する縦桟部５２を設けているため、張地１２１を上方より被せたときに心材５の外形が不用意に崩れてしまう不都合を回避できる。
【００５２】
ヘッドレストＨの心材５は樹脂材料を用いた一体成形品であり、その心材５に張地１２１を被せてこれを被覆しているため、簡単な構造でありながら、家具としての美観・格調を高めることができる。
【００５３】
なお、本発明は以上に詳述した実施形態に限られるものではない。例えば、上記実施形態では、薄板状をなす心材５を要素として頭部支持部５を構成していたが、左右両側に離間して対をなす支桿部に可撓性及び伸縮性を有するネット、ベルトまたは多数本の線材等を架け渡すことによって頭部支持部を構成する態様を妨げない。
【００５４】
上記実施形態では、ヘッドレストＨの頭部支持部５と支桿部６とが別体をなしていたが、両者を一体成形するということも考えられる。
【００５５】
図１１に示すように、心材５の縦桟部５２内にも欠損部５６を形成し、縦桟部５２の剛性を低下させるようにしてもよい。欠損部５６は、上下方向に延伸しつつ心材５の上下寸法よりも短小なスリットまたは有底溝で、一つの縦桟部５２に対して複数のスリット５６等を部分的に配置している。これにより、心材５の変形特性をアレンジできる。
【００５６】
あるいは、図１２に示すように、縦桟部５２を横切る欠損部５７を形成してもよい。この欠損部５７は、幅方向に延伸するスリットまたは有底溝である。図示例では、縦桟部５２を、心材５２の中心軸上及び中心軸から左右に離間した複数箇所に配設しており、上記の欠損部５７によってこれら縦桟部５２を上下に複数に分断している。これにより、縦桟部５２のみが局地的に固い感触を与えることを回避できる。
【００５７】
心材５に形成するスリット５１または有底溝は、幅方向に延伸しているとは限られない。上下方向に延伸するスリットまたは有底溝を複数本形成することで、心材の可撓性を補うことも可能である。その場合、スリットまたは有底溝が、図１３に示しているように心材５の上縁または下縁まで到達していてもよいし（スリットであれば、心材５を複数の部位に分割し、かつ上縁または下縁でそれら各部位を切り離した状態となる）、図１４に示しているように心材５の上縁または下縁まで到達していなくともよい（スリットであれば、心材５の各部位が上縁及び下縁でつながっている状態となる）。上下方向に延伸するスリットまたは有底溝を形成することは、心材５の一部分だけを変形させるために有効である。翻って、上記実施形態の如く幅方向に延伸するスリット５１または有底溝を形成するならば、心材５の全幅に亘って剛性が低下して全体的に変形し易くなる。
【００５８】
心材５の湾曲面形状は、側面視前方に膨出する形状には限定されない。側面視後方または平面視前方／後方に膨出する形状でもよいし、中央部分が四方の周縁部よりも前方／後方に膨出するような形状でもよい。
【００５９】
その他各部の具体的構成は上記実施形態に限られるものではなく、本発明の趣旨を逸脱しない範囲で種々変形が可能である。
【図面の簡単な説明】
【００６０】
【図１】本発明の一実施形態の椅子を示す斜視図。
【図２】同椅子の側面図。
【図３】同椅子の背面図。
【図４】同椅子のシンクロロッキング動作を示す側面図。
【図５】同椅子の上フレーム要素を後方に変位させた状態を示す側面図。
【図６】同椅子の背凭れ面変形動作を示す平面図。
【図７】同椅子の張地、支持体、ランバーサポート部材及びヘッドレストを示す要部分解斜視図。
【図８】同椅子のヘッドレストの心材及び連結部材を示す要部分解斜視図。
【図９】同椅子のヘッドレスト及び張地の取付構造を説明する要部平端面図。
【図１０】同椅子のヘッドレスト及び張地の取付構造を説明する要部側断面図。
【図１１】本発明の変形例の一を示す要部正面図。
【図１２】本発明の変形例の一を示す要部正面図。
【図１３】本発明の変形例の一を示す要部正面図。
【図１４】本発明の変形例の一を示す要部正面図。
【符号の説明】
【００６１】
Ｃ…椅子本体
１２１…張地
１４１ａ、１４１ｂ…フレーム要素（上フレーム要素）
Ｈ…ヘッドレスト
５…頭部支持部（心材）
５１…欠損部（スリット）
５２…縦桟部
５６、５７…欠損部（スリット）
６…支桿部（連結部材）
【図１】
2007229059.tif 000003
【図２】
2007229059.tif 000004
【図３】
2007229059.tif 000005
【図４】
2007229059.tif 000006
【図５】
2007229059.tif 000007
【図６】
2007229059.tif 000008
【図７】
2007229059.tif 000009
【図８】
2007229059.tif 000010
【図９】
2007229059.tif 000011
【図１０】
2007229059.tif 000012
【図１１】
2007229059.tif 000013
【図１２】
2007229059.tif 000014
【図１３】
2007229059.tif 000015
【図１４】
2007229059.tif 000016